(57)【要約】      （修正有）【課題】感染症対策として励行される空間仕切用のパネル設置に際し、当該パネルを介して向き合う人々の気持ちを和らげて、ストレスの軽減を図らんとする板状パネルの立設用台座を提供する。【解決手段】台座１は、板状のパネルＰの立設用として、パネルＰの下端部に取付けられ、パネルＰを立てた状態で支持する台座であって、パネルＰが進入可能な幅で対向して配置される同一形状の二つの支持壁１０と、二つの支持壁１０が固定される土台１２とを有し、支持壁１０は、進入させるパネルＰの板面に対して垂直の方向から視て所定の対象物を模した形状に形成されており、当該対象物は、生物、植物、人、風景、自然物、星、工業製品、建造物、キャラクターである。【選択図】図１
0003230796.tif 000002
【実用新案登録請求の範囲】
【請求項１】
板状のパネルの立設用として、前記パネルの下端部に取付けられ、前記パネルを立てた状態で支持する台座であって、
前記パネルが進入可能な幅で対向して配置される同一形状の二つの支持壁と、
前記支持壁が固定される土台と、を有し、
前記支持壁は、進入させる前記パネルの板面に対して垂直の方向から視て所定の対象物を模した形状に形成されており、
前記対象物は、生物、植物、人、風景、自然物、星、工業製品、建造物、キャラクターであること
を特徴とする台座。
【請求項２】
前記支持壁は、面内となる領域のいずれかの部分に板面を貫通する抜き孔を有し、
前記抜き孔は、前記対象物の部分を模した形状に形成されていること
を特徴とする請求項１記載の台座。
【請求項３】
前記台座は、透明なガラスもしくは樹脂ガラスからなる板状の前記パネルの立設用であって、
前記抜き孔は、前記二つの支持壁の間に前記パネルを進入させた状態において、前記パネルを介して対向する空間の下方を視認する視認窓を兼用する構成であること
を特徴とする請求項２記載の台座。
【請求項４】
前記支持壁は、金属の板材を用いてプレス切断加工により同一形状に形成された二枚の支持壁用準備部材に対し、その一方の下方部分を板面に対して手前側にプレス折曲加工により直角に折曲させ、他方の下方部分を板面に対して奥側にプレス折曲加工により直角に折曲させた構造体としたものを、それぞれ、折曲部分を除く三方の外周部を、対応する前記土台の外周部と平面視において一致させた状態で接着もしくは溶着させて、前記土台上に立設された構成であること
を特徴とする請求項１〜３のいずれか一項に記載の台座。
【請求項５】
前記土台は、前記パネルの下端外周部を当接させて、荷重を支承する構成であること
を特徴とする請求項１〜４のいずれか一項に記載の台座。
【考案の詳細な説明】
【技術分野】
【０００１】
本考案は、台座に関し、さらに詳細には、板状パネルの立設用台座に関する。
【背景技術】
【０００２】
従来より、板状のパネルの下端部に取付けられて、当該パネルを机やテーブル等の台上あるいは床面上に立てた状態で支持する台座が知られている（特許文献１：特開２０００−２５００９２号公報参照）。
【先行技術文献】
【特許文献】
【０００３】
【特許文献１】特開２０００−２５００９２号公報
【考案の概要】
【考案が解決しようとする課題】
【０００４】
ところで、昨今のコロナ禍によって生活様式の変化が起こり、基本的な感染症対策の一つとして、あらゆる場所において空間を仕切るパーティションとしてのパネル設置が励行されている。
【課題を解決するための手段】
【０００５】
しかしながら、コロナ禍による様々な制約下での生活は、人々に与えるストレスを増大させ、気持ちを不安にさせ、また、いら立ちを感じさせる等の原因となっている。
【０００６】
そこで、本考案は上記事情に鑑みてなされ、感染症対策として多種多様な場所で励行される空間仕切用のパネル設置に際し、当該パネルを介して向き合う人々の気持ちを和らげて、ストレスの軽減を図らんとする板状パネルの立設用台座を提供することを目的とする。なお、本願における「パネル」には、相対的に厚みが薄いいわゆる「シート」も含まれるものとし、当該「シート」に関しては、飲食店のメニュー表に例示される情報提示用のものも含まれるものとする。
【０００７】
一実施形態として、以下に開示するような解決手段により、前記課題を解決する。
【０００８】
開示の台座は、板状のパネルの立設用として、前記パネルの下端部に取付けられ、前記パネルを立てた状態で支持する台座であって、前記パネルが進入可能な幅で対向して配置される同一形状の二つの支持壁と、前記二つの支持壁が固定される土台と、を有し、前記支持壁は、進入させる前記パネルの板面に対して垂直の方向から視て所定の対象物を模した形状に形成されており、前記対象物は、生物、植物、人、風景、自然物、星、工業製品、建造物、キャラクターであることを特徴とする。
【考案の効果】
【０００９】
感染症対策として多種多様な場所で励行される空間仕切用のパネル設置に際し、パネル下端部に取付けられる支持壁が生物等の対象物を模した形状に形成されていることによって、当該パネルを介して向き合う人々の視界に入り易く、それを視た人々の気持ちを和らげて、ストレスの軽減を図る効果が期待できる。
【図面の簡単な説明】
【００１０】
【図１】本実施形態に係る台座の構成例および設置例を示す概略図である。
【図２】図１のＡ部拡大図である。
【図３】本実施形態に係る台座の他の構成例を示す概略図である。
【図４】図３（ｃ）のＢ−Ｂ線断面図である。
【図５】本実施形態に係る台座の支持壁の構成例を示す概略図である。
【考案を実施するための形態】
【００１１】
以下、図面を参照して、本考案の実施形態について詳しく説明する。図１は、本実施形態に係る台座１の構成例および設置例を示す概略図（斜視図）である。また、図２は、図１におけるＡ部の拡大図である。また、図３は、本実施形態に係る台座１の他の構成例を示す概略図（斜視図）である。また、実施形態を説明するための全図において、同一の機能を有する部材には同一の符号を付し、その繰り返しの説明は省略する場合がある。
【００１２】
本実施形態に係る台座１は、板状のパネルＰの下端部に取付けられて、当該パネルＰを立てた状態で支持するためのものである。
【００１３】
台座１の基本的な構成として、板状のパネルＰが進入可能な幅で対向して配置される同一形状の二つの支持壁１０（１０Ａ、１０Ｂ）と、二つの支持壁１０Ａ、１０Ｂが固定される土台１２とを備えている。ここで、支持壁１０Ａ、１０Ｂ間の幅寸法は特に限定されるものではないが、パネルＰが進入可能で且つ一定以上の傾斜がなく立つように寸法が設定される（一例として、２ｍｍ〜１５ｍｍ程度）。なお、一例として、支持壁１０および土台１２は、金属材料（ステンレス合金、アルミ合金、亜鉛合金等を用いた化粧鋼板等）からなる板材を用いて形成されている。ただし、これに限定されるものではなく、樹脂材料、木材、もしくは、それらとの組み合わせによる構成としてもよい。
【００１４】
本実施形態に係る台座１の特徴的な構成として、支持壁１０Ａ、１０Ｂは、進入させるパネルＰの板面に対して垂直の方向から視て所定の対象物を模した形状に形成されている。当該対象物には、生物（例えば、動物、魚、鳥、昆虫等）、植物（例えば、花、木、キノコ等）、人（例えば、身体の一部、似顔絵等）、風景（例えば、山、湖等）、自然物（例えば、宝石等）、星（例えば、惑星等）、工業製品（例えば、グラス、車、船舶、飛行機等）、建造物（例えば、神社、ビル等）、キャラクター（例えば、アニメキャラクター、ご当地キャラクター等）、等を採用することができる。対象物の一例として、図１、２に示す台座１（１Ａ）においては、支持壁１０Ａ、１０Ｂがネコを模した形状に形成されている。あるいは、他の例として、図３（ａ）に示す台座１（１Ｂ）においては、支持壁１０Ａ、１０Ｂがペンギンを模した形状に形成されており、図３（ｂ）に示す台座１（１Ｃ）においては、支持壁１０Ａ、１０Ｂがイヌを模した形状に形成されており、図３（ｃ）に示す台座１（１Ｄ）においては、支持壁１０Ａ、１０Ｂがブタを模した形状に形成されている。これらは、一部の例に過ぎず、対象物のさらに別の例として、図５に示すように、図５（ａ）のイカを模した支持壁１０、図５（ｂ）のクジラを模した支持壁１０、図５（ｃ）のタコを模した支持壁１０、図５（ｄ）のカニを模した支持壁１０、図５（ｅ）のサケを模した支持壁１０、図５（ｆ）のエビを模した支持壁１０、図５（ｇ）のサカナを模した支持壁１０、図５（ｈ）のマグロを模した支持壁１０、図５（ｉ）の徳利および猪口を模した支持壁１０、図５（ｊ）のビールジョッキを模した支持壁１０、図５（ｋ）のワインボトルおよびワイングラスを模した支持壁１０、図５（ｌ）のグラスを模した支持壁１０、図５（ｍ）のネコを模した支持壁１０、図５（ｎ）のウシを模した支持壁１０、図５（ｏ）の山を模した支持壁１０等、様々な対象物を模した形状に形成された構成とすることができる。
【００１５】
ここで、支持壁１０（１０Ａ、１０Ｂ）は、面内となる領域（すなわち、外周部でない領域）のいずれかの部分に板面を貫通する抜き孔１４、１６を有しており、当該抜き孔１４、１６は、対象物の部分（すなわち、対象物の所定の一部領域）を模した形状に形成されている。
【００１６】
対象物が動物である場合の具体例として、抜き孔１４、１６は、動物の目、鼻、口、耳、顔、腹、もしくは脚を模した形状に形成されている。なお、設置個数は特に限定されるものではなく、例えば、図１、２における抜き孔１４（１４Ａ、１４Ｂ）のように一つ（支持壁一枚あたり一つ）設ける構成、あるいは、図３（ａ）、（ｂ）、（ｃ）における抜き孔１４（１４Ａ、１４Ｂ）および抜き孔１６（１６Ａ、１６Ｂ）のように複数個（支持壁一枚あたり複数個）設ける構成が考えられる。
【００１７】
ここで、仮に、支持壁１０における外形の輪郭線のみで対象物を表現しようとすると、デザイン性に欠け、対象物として認識しづらい、あるいは、認識できた場合でも表現に乏しく、視認する人の感情への訴求効果が低い。これに対して、本考案に係る上記の抜き孔１４、１６を有する構成とすれば、デザイン性に優れ、対象物として認識し易く、表現が豊かになることで、視認する人の感情への訴求効果、特に、気持ちを和やかにして、パネル越しの対話から受けるストレスを軽減する効果を期待することができる。
【００１８】
また、本実施形態に係る台座１は、特に、透明なガラスもしくは樹脂ガラスからなる板状のパネルＰの立設用として好適に使用することができる。その際、抜き孔１４、１６は、二つの支持壁１０Ａ、１０Ｂの間に透明なパネルＰを進入させた状態において、当該パネルＰを介して対向する空間の下方Ｓを視認する視認窓を兼用する構成とすることができる。
【００１９】
パネル越しの対話は、それだけで、他人との距離感やパネルによる圧迫感を感じ易い。特に、視界が遮られる面積が大きい場合や、お互いの手元が見えない場合には、そのような影響も大きくなりがちである。これに対して、本考案に係る上記の抜き孔１４、１６を設け、且つ、視認窓として兼用する構成とすることで、パネルＰを介して対向する空間の下方Ｓを視認することができるようになるため、視界が遮られる面積を減らすことができる。したがって、距離感や圧迫感を減らすことができ、ストレスを軽減する効果を期待することができる。
【００２０】
なお、支持壁１０、および土台１２の形成方法（構造要素含む）は特に限定されるものではないが、前述の通り、金属材料（ステンレス合金、アルミ合金、亜鉛合金等を用いた化粧鋼板等）からなる板材が用いられ、当該板材に対してプレス加工を行って形成される。
【００２１】
ここで、形成方法（構造要素含む）の例について図４を用いて説明する。なお、図４は、図３（ｃ）のＢ-Ｂ線位置における断面形状を表しているが、板厚、辺長さ、支持壁間距離等は、実際の設計図通りではなく、構造をわかり易く説明するために寸法や比率等を変更して記載した説明用の概略図である。
【００２２】
具体的に、支持壁１０Ａ、１０Ｂは、先ず、金属の板材を用いてプレス切断加工により同一形状に形成された二枚の支持壁用準備部材を準備する。次いで、二枚の支持壁用準備部材に対し、一方の下方部分を板面に対して手前側にプレス折曲加工により直角に折曲させると共に、他方の下方部分を板面に対して奥側にプレス折曲加工により直角に折曲させた構造体とする。次いで、この二つの構造体のそれぞれを、下方部分における外周部（折曲部分を除く三方）を、対応する土台１２の外周部と平面視において一致させた状態で接着もしくは溶着させる。このようにして、支持壁１０Ａ、１０Ｂが構成され、土台１２上に立設された状態となる。なお、土台１２の形状は特に限定されるものではないが、一例として、平面視において角丸めを施した矩形状に形成されている。
【００２３】
上記構成によれば、支持壁１０Ａ、１０Ｂ間の隙間１８にパネルＰを進入させて支持することができる。このとき、土台１２は、パネルＰの下端外周部を当接させて、荷重を支承する作用をなす。これにより、パネルＰを安定して支持できるのみならず、パネルＰが直接、台や床に当接して傷ついてしまうことも防止できる。なお、パネルＰと、土台１２との固定方法は特に限定されるものではなく、接着してもよく、進入（差し込み）を行うだけでもよい。
【００２４】
以上説明した通り、本発明に係る板状パネル立設用の台座によれば、パネル下端部に取付けられる（換言すれば、パネル下端部を進入させて支持する）支持壁が生物等の対象物を模した形状に形成されていることによって、当該パネルを介して向き合う人々の視界に入り易く、それを視た人々の気持ちを和らげて、ストレスの軽減を図る効果が期待できる。
【００２５】
なお、本考案は、以上説明した実施形態に限定されることなく、本考案を逸脱しない範囲において種々変更可能であることは言うまでもない。特に、透明なガラスもしくは樹脂ガラスからなる板状パネルの立設用として好適に使用することができるが、これに限定されるものではなく、透明でない板状パネルの立設用として使用することができるのはもちろんである。
【００２６】
また、前述の通り、メニュー表に例示されるような、店舗等における情報提示用の薄い板状のシートの立設用としても使用することができる。
【符号の説明】
【００２７】
１、１Ａ、１Ｂ、１Ｃ、１Ｄ  台座
１０、１０Ａ、１０Ｂ  支持壁
１２  土台
１４、１４Ａ、１４Ｂ、１６、１６Ａ、１６Ｂ  抜き孔（視認窓）
１８  隙間
Ｐ  パネル
【図１】
0003230796.tif 000003
【図２】
0003230796.tif 000004
【図３】
0003230796.tif 000005
【図４】
0003230796.tif 000006
【図５】
0003230796.tif 000007